(57)【要約】【課題】動画像を構成する複数のフレームの中から印刷するフレームを撮影装置側で指定し、画像印刷装置において、撮影装置で指定されたフレームを自動的に印刷可能にする。【解決手段】撮影装置１は、動画像撮影中に、印刷するフレームを指定し、動画像ファイルのヘッダ部において、各フレーム毎に、印刷するか否かを指定するための印刷フラグを設定する。プリントベンダー２は、記録媒体１１に記録された動画像ファイルを取り込み、動画像ファイルを構成する各フレームの中から、ヘッダ部に設定された印刷フラグがＯＮのフレームのみを切出す。そして、切出された各フレームを所定の様式で配置することにより、印刷画像用のフォーマットを作成し、その作成されたフォーマットに従って印刷出力する。【選択図】図１
2005051591.tif 000002
【特許請求の範囲】
【請求項１】
動画像を撮影する撮影装置において、
動画像の撮影中に、印刷するフレームを指定する印刷指定手段と、
前記印刷指定手段による印刷指定に基づいて、動画像ファイルを構成する各フレーム毎に、印刷するか否かを指定するための印刷フラグを設定する設定手段と、
を備えることを特徴とする撮影装置。
【請求項２】
動画像を撮影する撮影装置において、
動画像ファイルを構成する各フレームの中から、印刷するフレームを指定する印刷指定手段と、
前記印刷指定手段による印刷指定に基づいて、前記各フレーム毎に、印刷するか否かを指定するための印刷フラグを設定する設定手段と、
を備えることを特徴とする撮影装置。
【請求項３】
前記印刷指定手段は、前記各フレーム毎に、前記印刷フラグを指定するとともに、印刷画像の大きさを更に指定することを特徴とする請求項１又は２に記載の撮影装置。
【請求項４】
前記印刷指定手段により指定された印刷画像の大きさに応じてフレームの種類を決定し、印刷指定されたフレームに対し、その決定されたフレームの種類に応じた符号化を施す符号化手段を備えることを特徴とする請求項３に記載の撮影装置。
【請求項５】
画像を印刷する画像印刷装置において、
動画像ファイルから、当該動画像ファイルを構成する各フレーム毎に、印刷するか否かを指定するための印刷フラグを取得する印刷情報取得手段と、
前記各フレームの中から、前記印刷情報取得手段により取得された印刷フラグによって印刷が指定されたフレームを切出す切出し手段と、
前記切出し手段により切出された各フレームを所定の様式で配置することにより、印刷画像用のフォーマットを作成するフォーマット作成手段と、
前記フォーマット作成手段により作成されたフォーマットに従って印刷出力を行う印刷手段と、
を備えることを特徴とする画像印刷装置。
【請求項６】
前記フォーマット作成手段は、前記切出し手段により切出されたフレームの種類に応じて、印刷画像の大きさを決定することを特徴とする請求項５に記載の画像印刷装置。
【請求項７】
前記動画像ファイルから、印刷指定されたフレーム毎に、印刷画像の大きさを示す情報を取得する大きさ情報取得手段を備え、
前記大きさ情報取得手段によって取得された大きさ情報により、前記印刷指定されたフレームの印刷画像の大きさが、予め設定された大きさより大きい場合、前記切出し手段は、前記動画像ファイルを構成する各フレームの中から、前記印刷指定されたフレームに最も近いＩフレームを切出すことを特徴とする請求項５に記載の画像印刷装置。
【請求項８】
前記切出し手段は、印刷指定されたフレームの前後のフレームを更に切出すことを特徴とする請求項５に記載の画像印刷装置。
【請求項９】
符号化された動画像ファイルを保持する通信端末と、符号化された動画像ファイルをデコード処理するデコードサーバと、デコード処理された画像ファイルを格納するストレージサーバと、画像を印刷する画像印刷装置とが通信ネットワークを介して接続された画像印刷システムであって、
前記通信端末は、前記通信ネットワークを介して前記デコードサーバに前記符号化された動画像ファイルを送信し、
前記デコードサーバは、前記通信端末から受信された動画像ファイルをデコードして静止画像を切出し、前記通信ネットワークを介して前記切出された静止画像を前記ストレージサーバに送信し、
前記ストレージサーバは、前記デコードサーバから受信された静止画像を格納し、前記画像印刷装置からの要求に応じて、前記通信ネットワークを介して前記静止画像を前記画像印刷装置に送信し、
前記画像印刷装置は、前記ストレージサーバに前記静止画像の送信を要求し、前記ストレージサーバから受信された静止画像を印刷出力することを特徴とする画像印刷システム。
【請求項１０】
動画像を撮影する撮影装置を制御するコンピュータに、
動画像の撮影中に、印刷するフレームを指定する印刷指定機能と、
前記印刷指定機能による印刷指定に基づいて、動画像ファイルを構成する各フレーム毎に、印刷するか否かを指定するための印刷フラグを設定する設定機能と、
を実現させるためのプログラム。
【請求項１１】
動画像の撮影する撮影装置を制御するコンピュータに、
動画像ファイルを構成する各フレームの中から、印刷するフレームを指定する印刷指定機能と、
前記印刷指定機能による印刷指定に基づいて、前記各フレーム毎に、印刷するか否かを指定するための印刷フラグを設定する設定機能と、
を実現させるためのプログラム。
【請求項１２】
画像印刷装置を制御するコンピュータに、
動画像ファイルから、当該動画像ファイルを構成する各フレーム毎に、印刷するか否かを指定するための印刷フラグを取得する印刷情報取得機能と、
前記各フレームの中から、前記印刷情報取得機能により取得された印刷フラグによって印刷が指定されたフレームを切出す切出し機能と、
前記切出し機能により切出された各フレームを所定の様式で配置することにより、印刷画像用のフォーマットを作成するフォーマット作成機能と、
前記フォーマット作成機能により作成されたフォーマットに従って印刷出力を行う印刷機能と、
を実現させるためのプログラム。
【発明の詳細な説明】
【技術分野】
【０００１】
本発明は、撮影装置、画像印刷装置、画像印刷システム及びプログラムに関する。
【背景技術】
【０００２】
近年、ビデオカメラ等で撮影された動画像を構成する個々のフレームを静止画像として切出して印刷可能な画像印刷装置が普及している。このような画像印刷装置として、特許文献１には、動画像をコマ送り形式で動きのある写真として印刷する動画像プリンタが提案されている。ここで、コマ送り写真形式とは、動画像から切出された静止画像を時間順に連続させて配置して写真プリントとする形式である。
【０００３】
また最近では、メモリーカード等の記録媒体から読み込まれた画像を印刷して販売するプリントベンダー（写真自販機）が、街角や建物内に設置され、デジタルカメラ等により記録された画像データを手軽に写真印刷できるようになっており、このようなプリントベンダーによって、ビデオカメラ等で撮影された動画像を印刷することが可能になっている。
【特許文献１】特開２００１−９４９１１号公報
【発明の開示】
【発明が解決しようとする課題】
【０００４】
しかしながら、特許文献１の画像印刷装置では、動画の印刷時に、動画像を構成する全ての静止画像をデコードする必要があるため、デコード処理に要する時間が長くなるという問題があった。従って、このような画像印刷装置をプリンタベンダーに適用した場合、客の待ち時間が長くなるという問題があった。
【０００５】
本発明の課題は、動画像を構成する複数のフレームの中から印刷するフレームを撮影装置側で指定し、画像印刷装置において、撮影装置で指定されたフレームを自動的に印刷可能にすることである。
【課題を解決するための手段】
【０００６】
上記課題を解決するため、請求項１に発明は、動画像を撮影する撮影装置において、
動画像の撮影中に、印刷するフレームを指定する印刷指定手段と、前記印刷指定手段による印刷指定に基づいて、動画像ファイルを構成する各フレーム毎に、印刷するか否かを指定するための印刷フラグを設定する設定手段と、を備えることを特徴としている。
【０００７】
請求項２に記載の発明は、動画像を撮影する撮影装置において、動画像ファイルを構成する各フレームの中から、印刷するフレームを指定する印刷指定手段と、前記印刷指定手段による印刷指定に基づいて、前記各フレーム毎に、印刷するか否かを指定するための印刷フラグを設定する設定手段と、を備えることを特徴としている。
【０００８】
請求項５に記載の発明は、画像を印刷する画像印刷装置において、画像を印刷する画像印刷装置において、動画像ファイルから、当該動画像ファイルを構成する各フレーム毎に、印刷するか否かを指定するための印刷フラグを取得する印刷情報取得手段と、前記各フレームの中から、前記印刷情報取得手段により取得された印刷フラグによって印刷が指定されたフレームを切出す切出し手段と、前記切出し手段により切出された各フレームを所定の様式で配置することにより、印刷画像用のフォーマットを作成するフォーマット作成手段と、前記フォーマット作成手段により作成されたフォーマットに従って印刷出力を行う印刷手段と、を備えることを特徴としている。
【０００９】
請求項９に記載の発明は、符号化された動画像ファイルを保持する通信端末と、符号化された動画像ファイルをデコード処理するデコードサーバと、デコード処理された画像ファイルを格納するストレージサーバと、画像を印刷する画像印刷装置とが通信ネットワークを介して接続された画像印刷システムであって、前記通信端末は、前記通信ネットワークを介して前記デコードサーバに前記符号化された動画像ファイルを送信し、前記デコードサーバは、前記通信端末から受信された動画像ファイルをデコードして静止画像を切出し、前記通信ネットワークを介して前記切出された静止画像を前記ストレージサーバに送信し、前記ストレージサーバは、前記デコードサーバから受信された静止画像を格納し、前記画像印刷装置からの要求に応じて、前記通信ネットワークを介して前記静止画像を前記画像印刷装置に送信し、前記画像印刷装置は、前記ストレージサーバに前記静止画像の送信を要求し、前記ストレージサーバから受信された静止画像を印刷出力することを特徴としている。
【００１０】
請求項１０に記載のプログラムは、動画像を撮影する撮影装置を制御するコンピュータに、動画像の撮影中に、印刷するフレームを指定する印刷指定機能と、前記印刷指定機能による印刷指定に基づいて、動画像ファイルを構成する各フレーム毎に、印刷するか否かを指定するための印刷フラグを設定する設定機能と、を実現させる。
【００１１】
請求項１１に記載のプログラムは、動画像の撮影する撮影装置を制御するコンピュータに、動画像ファイルを構成する各フレームの中から、印刷するフレームを指定する印刷指定機能と、前記印刷指定機能による印刷指定に基づいて、前記各フレーム毎に、印刷するか否かを指定するための印刷フラグを設定する設定機能と、を実現させる。
【００１２】
請求項１２に記載のプログラムは、画像印刷装置を制御するコンピュータに、動画像ファイルから、当該動画像ファイルを構成する各フレーム毎に、印刷するか否かを指定するための印刷フラグを取得する印刷情報取得機能と、前記各フレームの中から、前記印刷情報取得機能により取得された印刷フラグによって印刷が指定されたフレームを切出す切出し機能と、前記切出し機能により切出された各フレームを所定の様式で配置することにより、印刷画像用のフォーマットを作成するフォーマット作成機能と、前記フォーマット作成機能により作成されたフォーマットに従って印刷出力を行う印刷機能と、を実現させる。
【発明の効果】
【００１３】
請求項１及び請求項１０に記載の発明によれば、撮影装置による動画像の撮影中に、印刷したいフレームを指定することにより、後に画像印刷装置において動画像を印刷する際、指定されたフレームのみをデコードすればよいため、画像印刷装置におけるデコード処理に要する時間を短縮することができる。また、撮影装置のユーザは、撮影しながら、印刷したいフレームを指定できるため、印刷したい（写真にしたい）一瞬を逃すことがなくなる。
【００１４】
請求項２及び請求項１１に記載の発明によれば、撮影装置において、動画像ファイルを構成する構成する各フレームの中から、印刷したいフレームを指定することにより、後に画像印刷装置において動画像を印刷する際、指定されたフレームのみをデコードすればよいため、画像印刷装置におけるデコード処理に要する時間を短縮することが可能になる。
【００１５】
請求項３に記載の発明によれば、動画像を構成するフレームの印刷画像の大きさを指定可能にしたことにより、ユーザが希望する大きさでの画像印刷が可能になる。
【００１６】
請求項４に記載の発明によれば、印刷画像の大きさに応じてフレームの種類を決定し、印刷指定されたフレームに対し、その決定されたフレームの種類に応じた符号化を施すことにより、画像を印刷する際、フレームの種類に応じたデコード処理を行うことが可能になるため、印刷画像の品質を向上させることが可能になる。
【００１７】
請求項５及び請求項１２に記載の発明によれば、動画像ファイルを構成する各フレームの中から、予め印刷指定されたフレームを切出して印刷するようにしたことにより、動画像ファイルのデコード処理に要する時間を短縮することが可能になる。
【００１８】
請求項６に記載の発明によれば、動画像ファイルから切出されたフレームの種類に応じて印刷画像の大きさを決定することにより、印刷画像の品質を向上させることが可能になる。
【００１９】
請求項７に記載の発明によれば、指定されたフレームの印刷画像の大きさが、予め設定された大きさより大きい場合に、そのフレームの最寄りのＩフレームを切出すようにしたことにより、印刷画像の品質を向上させることが可能になる。
【００２０】
請求項８に記載の発明によれば、印刷指定されたフレームの前後のフレームも切出し可能にしたことにより、予め印刷指定されたフレームと、ユーザが実際に印刷をしてほしいフレームが異なっていても、ユーザが希望する画像を印刷することが可能になる。
【００２１】
請求項９に記載の発明によれば、画像印刷装置で印刷を行う前に、事前にデコードサーバにおいて、動画像ファイルをデコードして静止画像を切出しておくことにより、画像印刷装置による印刷時におけるユーザの待ち時間を短縮させることができる。
【発明を実施するための最良の形態】
【００２２】
以下、図を参照して本発明を実施するための最良の形態について詳細に説明する。
【００２３】
（実施形態１）
図１〜図１８を参照して、本発明の実施形態１について詳細に説明する。まず、実施形態１における構成について説明する。
【００２４】
図１に、本発明の実施形態１のシステム構成を示す。図１において、撮影装置１は、ビデオカメラ等の動画像撮影が可能な撮影装置である。また、図１において、プリントベンダー２は、例えば、写真店や街角等に設置され、記録媒体挿入口２８ａ〜２８ｄの何れか一つに挿入された記録媒体１１から、撮影装置１により撮影された動画像のファイルを取得し、取得された動画像ファイルから静止画像を切出して写真プリントとして印刷して販売する装置である。なお、撮影装置１からの動画像ファイルの取得は、端末接続部２４ａに接続された通信ケーブルを介して行うようにしてもよい。
【００２５】
図２に、本発明の実施形態１における撮影装置１の主要部構成を示す。撮影装置１は、図２に示すように、撮影レンズ３ａ、ＣＣＤ（Charge Coupled Device）３ｂ、Ａ／Ｄ変換器４、画像信号処理回路５、表示部６、操作部７、ＲＡＭ（Random Access Memory）８、ＥＥＰＲＯＭ（Electrically Erasable Programmable Read-Only Memory）９、メモリーカード１１が装着可能なカード装着部１０、制御部１２により構成されている。
【００２６】
撮影レンズ３ａは、その光路上において被写体の光学像を結像する。ＣＣＤ３ｂは、撮影レンズ３ａを介して入射された撮影画像を電気信号（アナログ信号）に光電変換する。Ａ／Ｄ変換器４は、ＣＣＤ３ｂで得られた電気信号（アナログ信号）をデジタル信号に変換する。
【００２７】
画像信号処理回路５は、Ａ／Ｄ変換器４から入力された画像データに対して圧縮処理を施す。また、画像信号処理回路５は、メモリーカード１１に記録されている画像データに対して伸長処理を施す。
【００２８】
表示部６は、ＬＣＤ（Liquid Crystal Display）、ＥＬ（Electro Luminescence）ディスプレイ等の表示画面により構成され、制御部１２から入力された表示制御信号に従って表示処理を行う。
【００２９】
操作部７は、主電源ボタン、撮影動作の開始を指定するためのレリーズボタン、メモリーカード１１に記録された画像の再生を指定するための再生ボタン、表示部６の表示画面上の位置を指定するためのカーソルボタン、印刷するフレームを指定するための印刷指定ボタン７１ａ、７１ｂ等により構成され、ボタンの押下による操作信号を制御部１２に出力する。
【００３０】
印刷指定ボタン７１ａ、７１ｂは、印刷するフレームを動画撮影中に指定するためのボタンであり、図３に示すように、撮影装置１の一側面に設けられている。印刷指定ボタン７１ａは、大きな画像（図１１（ｂ）、図１３（ａ）参照）として印刷指定するためのボタンであり、印刷指定ボタン７１ｂは、小さな画像（図１１（ａ）、図１３（ｂ）参照）として印刷指定するためのボタンである。ここで「大きな画像」とは、印刷画像の大きさが予め設定された大きさより大きい画像であり、「小さな画像」とは、印刷画像の大きさが予め設定された大きさより小さい画像のことを示す。撮影装置１のユーザは、動画像撮影中に、印刷したいと思った瞬間に印刷指定ボタン７１ａ又は７１ｂを押すことにより、プリントベンダー２で印刷するフレームを指定することができる。
【００３１】
図４（ａ）に、動画像ファイルのヘッダ部の印刷フレーム指定部分を示す。この印刷フレーム指定部分では、動画像のフレーム毎に、印刷フラグ及び画像の大きさ（印刷画像の大きさ）が設定される。図４（ａ）及び図４（ｂ）に示すように、動画像ファイルヘッダ部では、印刷指定されたフレームの印刷フラグはＯＮとなり、印刷指定されていないフレームの印刷フラグはＯＦＦとなる。また、図４（ａ）及び図４（ｃ）に示すように、動画像ファイルヘッダ部では、印刷フラグがＯＮのフレームのうち、印刷指定ボタン７１ａにより印刷指定されたフレームの画像の大きさは大きな画像（１）となり、印刷指定ボタン７１ｂにより印刷指定されたフレームの画像の大きさは小さな画像（２）となる。
【００３２】
ＲＡＭ８は、例えば、揮発性の半導体メモリであり、制御部１２により実行される各種制御プログラムをプログラム格納エリアに展開する。また、ＲＡＭ８は、入力データ及び制御処理プログラムの実行時に生じる処理結果等のデータを、ワークエリアに一時的に格納する。
【００３３】
ＥＥＰＲＯＭ９は、電気的に書き換え可能な読み出し専用のメモリで、制御部１２により実行される各種制御プログラム及びこれらのプログラムで処理されたデータ等を記憶する。
【００３４】
カード装着部１０は、装着されたメモリーカード１１を保持するとともに、接続端子（図示略）を介して、メモリーカード１１と制御部１２とを電気的に接続する。
【００３５】
制御部１２は、例えば、ＣＰＵ（Central Processing Unit）等から構成され、ＥＥＰＲＯＭ９に格納された各種制御プログラムに従って、撮影装置１の各部を統括的に制御する。この制御部１２は、動画像ファイルのヘッダ部の印刷フレーム指定部分に、動画像を構成するフレーム毎に、印刷指定があったか否かを示す印刷フラグを設定する。具体的には、動画像撮影中に、印刷指定ボタン７１ａ又は７１ｂの操作信号が入力されると、動画像ファイルヘッダ部の印刷フレーム指定部分において、該当するフレームの印刷フラグをＯＮにし、画像の大きさを設定する。フレームに対する印刷指定は、動画像の撮影中だけでなく、撮影後の編集、再生の際に行うことも可能である。
【００３６】
次に、本発明の画像印刷装置としてのプリントベンダー２の構成を説明する。プリンタベンダー２には、図２に示すように、操作パネル２１ａ、表示パネル２２ａ、端末接続部２４ａ、金銭投入口２５ａ、金銭返却口２５ｂ、印刷物取出口２６ａ、記録媒体挿入口２８ａ〜２８ｄが設けられている。
【００３７】
図５に、プリントベンダー２の主要部構成を示す。プリントベンダー２は、図５に示すように、ＣＰＵ（Central Processing Unit）２０、入力部２１、表示部２２、ＲＡＭ（Random Access Memory）２３、伝送制御部２４、金銭授受部２５、印刷部２６、記録部２７、記録媒体接続部２８、静止画切出し部２９、フォーマット作成部３０等により構成され、各部はバス３１により接続されている。
【００３８】
ＣＰＵ２０は、記録部２７に格納されている各種制御プログラムを読み出し、て必要に応じてＲＡＭ２３内の図示しないプログラム格納エリアに展開する等して、これら各制御プログラムに基づく各種処理を実行し、処理結果をＲＡＭ２３内のワークエリアに一時的に格納する。また、ＣＰＵ２０は、各制御プログラムの実行による処理結果を記録部２７内の指定された保存先に保存する。
【００３９】
入力部２１は、ＬＣＤ（Liquid Crystal Display）から成る操作パネル２１ａ等により構成され、ＣＰＵ２０から入力される表示信号の指示に従って表示画面上に、表示部２２に表示された各種選択画面に応じた各種操作ボタンの表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ２０に出力する。
【００４０】
表示部２２は、ＬＣＤ（Liquid Crystal Display）等からなる表示パネル２２ａにより構成され、ＣＰＵ２０から入力される表示制御信号に従って、表示パネル２２ａの画面上に、後述するように動画再生・選択画面１２１、プリントスタイル選択画面１２２、枚数指定画面１２３等の各種画面を表示する。
【００４１】
ＲＡＭ２３は、ＣＰＵ２０により実行される各種制御プログラムをプログラム格納エリアに展開する。また、ＲＡＭ２３は、入力データ及び制御処理プログラムの実行時に生じる処理結果等のデータを、ワークエリアに一時的に格納する。本実施の形態１において、ＲＡＭ２３は、図６に示すように、切出し済み静止画ファイル格納部２３１、選択解除結果格納部２３２、プリントスタイル格納部２３３、出力様式格納部２３４を有している。切出し済み静止画ファイル格納部２３１は、静止画切出し部２９により動画像ファイルから切出された静止画像のデータを格納する。選択解除結果格納部２３２は、印刷する動画像ファイルとしての選択の解除結果を格納する。プリントスタイル格納部２３３は、選択されたプリントスタイル（印刷時のフォーマット）のデータを格納する。出力様式格納部２３４は、印刷枚数のデータを格納する。
【００４２】
伝送制御部２４は、端末接続部２４ａに差し込まれた通信ケーブルにより外部機器（例えば、撮影装置１）との間でデータ送受信を行う。また、伝送制御部２４は、モデム（ＭＯＤＥＭ：MOdulator/DEModulator）、ルータ、ＴＡ（Terminal Adapter）等によって構成され、電話回線、専用線、ＩＳＤＮ回線等の通信回線を介して外部機器と通信を行うための制御を行う。
【００４３】
金銭授受部２５は、入力部２１から入力されたプリントスタイルやプリント枚数に基づいて料金を算出する。また、金銭投入口２５ａから投入された金額や偽造を判定し、料金と投入金額に基づいて返金額を算出し、その返金額に相当するつり銭を金銭返却口２５ｂから返却する。また、計算された料金、投入金額、返金額のデータをＣＰＵ２０に出力する。
【００４４】
印刷部２６は、単数あるいは複数のプリンタを備え、フォーマット作成部３０により作成されたプリントフォーマットに応じて変調した光ビームで感光材料（印画紙、シール）を走査露光して潜像を記録し、露光済みの感光材料に湿式の現像処理や乾燥処理を施して、仕上がりプリントとしてプリント受取口２６ａに出力する。
【００４５】
記録部２７は、プログラムやデータ等が予め記憶されている記録媒体を有している。この記録媒体は、ハードディスク等の磁気的記録媒体、光学的記録媒体又は半導体等の不揮発性メモリで構成されており、記録部２７に固定的に設けたもの又は着脱自在に装着するものである。この記録媒体は、動画印刷処理プログラム（図７及び図８参照）及びこれらのプログラムで利用されるデータ等を記憶する。
【００４６】
なお、記録部２７が記憶するプログラム又はデータ等は、その一部又は全部を他の機器からＷＡＮ（Wide Area Network）やＬＡＮ（Local Area Network）等の通信ネットワークを介して伝送制御部２４から受信して記憶する構成にしてもよい。また、記録媒体は、通信ネットワーク上に構築された他のホストコンピュータの記録媒体であってもよい。また、記録部２７は、通信ネットワーク上に構築されたサーバやクライアントの記録媒体であってもよい。
【００４７】
記録媒体接続部２８は、例えば、フラッシュメモリーカードの挿入口２８ａ、スマートメディアカードの挿入口２８ｂ、メモリースティックの挿入口２８ｃ、フロッピー（登録商標）ディスクの挿入口２８ｄの各挿入口に挿入された可搬型の記録媒体とデータの入出力を行うためのインターフェースである。なお、記録媒体としては、上述したものに限定されず、例えば、ＳＤカード（Secure Digital memory card）、ＰＣカード、ＭＯ（magneto-optic）等を装着可能な構成としてもよい。
【００４８】
静止画切出し部２９は、印刷するファイルとして選択された動画像ファイルのヘッダ部に印刷フレーム指定部分に設定された印刷フラグ情報を取得し、その動画像ファイルを構成する各フレームのうち、印刷フラグがＯＮのフレームのみを静止画像としてデコード処理することによって、静止画像を切出す静止画切出し処理を実行する（図１８参照）。
【００４９】
フォーマット作成部３０は、ＲＡＭ２３の切出し済静止画ファイル格納部２３１に一時格納されている静止画像を、指定（選択）されたプリントスタイルに基づいて配置して合成することによりプリントフォーマットを作成する。
【００５０】
本実施の形態１において、静止画切出し部２９、フォーマット作成部３０における処理は、それぞれ、記録部２７に格納された静止画切出し処理プログラム、フォーマット作成処理プログラムをＲＡＭ２３に展開し、展開された各処理プログラムとの協働によるソフトウエア処理によって実現される。なお、各処理プログラムの機能をＣＰＵ２０の制御下において動作する専用のハードウエアにより構成してもよい。
【００５１】
次に、本実施の形態１における動作を説明する。
図７、図８及び図１８は、プリントベンダー２の動作を説明するためのフロ−チャートである。これらのフローチャートは、プリントベンダー２を構成するコンピュータに各機能を実現させるためのプログラムを説明するためのものである。これらのプログラムはＣＰＵ２０が読み取り可能なプログラムコードの形態で記録媒体に格納されている例で説明するが、全ての機能を記録媒体に格納する必要はなく、必要に応じて、その一部又は全部を、通信ネットワークを介して伝送制御部２４から受信して実現するようにしてもよい。
【００５２】
図７及び図８のフローチャートを参照して、プリントベンダー２により実行される動画印刷処理について説明する。
【００５３】
まず、表示部２２に、待ち受け画面であるスタート画面が表示される（ステップＳ１）。記録媒体挿入口２８ａ〜２８ｄの何れか一つに記録媒体が挿入されると、記録媒体接続部２８により記録媒体が認識され（ステップＳ２；ＹＥＳ）、記録媒体に記録されている動画像ファイルがＲＡＭ２３に読み込まれる（ステップＳ３）。
【００５４】
次いで、ステップＳ３で読み込まれた動画像ファイルが表示部２２にロードされて、図９に示すような動画再生・選択画面１２１が表示される（ステップＳ４）。なお、デフォルトでは、読み込まれた全ての動画像ファイルが、印刷する動画像ファイルとして選択された状態となっている。
【００５５】
動画再生・選択画面１２１には、図９に示すように、読み込まれた動画像ファイルの一覧と、動画像ファイルの再生を指示するための再生ボタン１２１ａ、動画像ファイルの再生の停止を指示するための停止ボタン１２１ｂ、印刷する動画像ファイルとしての選択の解除を指示するための選択解除ボタン１２１ｃ、印刷する動画像ファイルを確定するためのＯＫボタン１２１ｄ等が表示されている。
【００５６】
動画再生・選択画面１２１上で、動画像ファイルがタッチ指示により選択され（ステップＳ５；ＹＥＳ）、再生ボタン１２１ａがタッチ指示されると（ステップＳ６；ＹＥＳ）、選択された動画像ファイルの再生が開始される（ステップＳ７）。動画像ファイルの再生中に停止ボタン１２１ｂがタッチ指示されると（ステップＳ８；ＹＥＳ）、動画像ファイルの再生が停止される（ステップＳ９）。
【００５７】
動画再生・選択画面１２１上で、動画像ファイルが選択され（ステップＳ５；ＹＥＳ）、選択解除ボタン１２１ｃがタッチ指示されると（ステップＳ１１；ＹＥＳ）、ステップＳ５で選択された動画像ファイルについて、印刷するファイルとしての選択が解除され（ステップＳ１２）、解除結果がＲＡＭ２３の選択解除結果格納部２３２に格納される。動画再生・選択画面１２１上でＯＫボタン１２１ｄがタッチ指示されるまで、ステップＳ５〜Ｓ１２が繰り返し実行される。
【００５８】
動画再生・選択画面１２１上でＯＫボタン１２１ｄがタッチ指示されると（ステップＳ１３；ＹＥＳ）、静止画切出し部２９において、印刷するファイルとして選択された動画像ファイルのヘッダ部に設定された印刷フラグに基づいて、静止画切出し処理が実行される（ステップＳ１４）。静止画切出し部２９による静止画切出し処理の詳細は、図１８において後述する。
【００５９】
静止画切出し処理が終了すると、表示部２２には、図１０に示すようなプリントスタイル選択画面１２２が表示される（ステップＳ１５）。プリントスタイル選択画面１２２には、図１０に示すように、複数種類の（図１０では２種類の）プリントイメージ図（印刷時のフォーマット）が表示され、表示された中から所望のプリントスタイルが選択可能となっている。また、縦、横の選択も可能となっている。
【００６０】
プリントスタイル選択画面１２２においてプリントスタイルがタッチ指示により選択されると（ステップＳ１６；ＹＥＳ）、ＲＡＭ２３のプリントスタイル格納部２３３に選択結果が格納され、フォーマット作成部３０にプリントスタイルが通知され、選択されたプリントスタイルでのプリントフォーマットが作成される（ステップＳ１７）。フォーマット作成部３０では、ＲＡＭ２３の選択解除結果格納部２３２を参照することにより、印刷するものとして選択された動画像ファイル、即ち、選択解除がなされていない動画像ファイルについて、切出し済静止画ファイル格納部２３１に一時格納されている静止画像を、ステップＳ１６で選択されたプリントスタイルに基づいて配置して合成することによりプリントフォーマットが作成される。
【００６１】
なお、本フローチャートでは、プリントスタイル選択画面１２２で、複数のプリントスタイルの中からユーザが希望するプリントスタイルを選択して、その選択されたプリントスタイルをプリントフォーマットとして決定したが、動画像ファイルのヘッダ部に設定された画像の大きさ情報に基づいて、自動的にプリントフォーマットを決定するようにしてもよい。
【００６２】
例えば、静止画切出し処理で切出された静止画像が全て「小さな画像」として印刷指定されている場合、図１１（ａ）に示すように、それらの切出された静止画像を、撮影された時間順に並べて配置するようなプリントスタイルにする。また、静止画切出し処理で切出された静止画像が全て「大きな画像」として印刷指定されている場合においても、図１１（ｂ）に示すように、それらの切出された静止画像を、撮影された時間順に並べて配置するようなプリントフォーマットにする。
【００６３】
もし、図１２に示すように、静止画切出し処理で切出された静止画像に、「小さな画像」として印刷指定されているフレームと、「大きな画像」として印刷指定されているフレームが混在している場合、図１３に示すように、大きなフレーム群（図１３（ａ））と小さなフレーム群（図１３（ｂ））にグループ分けし、大きなフレーム群に、「大きな画像」として印刷指定されたフレームを、撮影された時間順に並べて配置し、小さなフレーム群に、「小さな画像」として印刷指定されたフレームを、撮影された時間順に並べて配置するようなプリントフォーマットにする。
【００６４】
また、図１２のように大小のフレームが混在する場合、図１４に示すように、「大きな画像」として指定されたフレームを、一つずつ別グループに分け、その「大きな画像」のフレームの周りを、「小さな画像」として指定されたフレームが撮影された時間順に取り囲むようなプリントフォーマットにしてもよい。
【００６５】
図８のフローチャートに戻る。印刷時のフォーマットが作成されると、表示部２２には、図１５に示すような枚数指定画面１２３が表示される（ステップＳ１８）。枚数指定画面１２３には、図１５に示すように、ステップＳ１７で作成されたフォーマットでのプリントイメージを動画像ファイル毎に表示するプリントイメージ表示欄１２３ｄが設けられ、動画像ファイル毎に、印刷枚数を指定するための枚数指定ボタン１２３ａが表示されている。また、枚数指定画面１２３には、プリントスタイル選択画面１２２に戻るための前画面表示ボタン１２３ｂ、指定された枚数を確定するためのＯＫボタン１２３ｃが表示されている。
【００６６】
枚数指定画面１２３から枚数決定ボタン１２３ａの操作により印刷枚数が入力されると（ステップＳ１９）、ＯＫボタン１２３ｃがタッチ指示されると（ステップＳ２０；ＹＥＳ）、ステップＳ１９で入力された印刷枚数のデータが出力様式格納部２３４に格納され、表示部２２には、図１６に示すような印刷確認画面１２４が表示される（ステップＳ２１）。印刷確認画面１２４には、図１６に示すように、プリント紙、プリントサイズ、プリント時間、プリント枚数、プリント料金等が表示されるとともに、料金の投入を促すメッセージが表示される。
【００６７】
料金投入口２５ａからプリント料金が投入されると（ステップＳ２２；ＹＥＳ）、印刷部２６において、ステップＳ１７で作成されたフォーマットに従って印刷データが作成され、その作成された印刷データに基づいて、指定された枚数の画像の印刷が開始される（ステップＳ２３）。印刷が全て終了すると（ステップＳ２４；ＹＥＳ）、表示部２２には、図１７に示すような印刷終了画面１２６が表示され（ステップＳ２５）、本動画印刷処理が終了する。
【００６８】
次に、図１８のフローチャートを参照して、図７のステップＳ１４に示した静止画切出し処理の詳細について説明する。
【００６９】
まず、静止画切出し部２９において、動画像ファイルを指定するためのカウンタ値ｎが１に設定され（ステップＳ３０）、プリントベンダー２に読み込まれた順番に動画像ファイルに番号が付与され、動画像ファイルの数が取得される。次いで、ＲＡＭ２３の選択解除結果格納部２３２が参照されることにより、ｎ番目の動画像ファイルが、印刷するファイルとして選択されているか否かが判定される（ステップＳ３１）。
【００７０】
ステップＳ３１において、ｎ番目の動画像ファイル（動画像ファイルｎ）が、印刷するファイルとして選択されていないと判定された場合（ステップＳ３１；ＮＯ）、ステップＳ３８に移行し、カウンタ値ｎがインクリメントされる（ステップＳ３８）。
【００７１】
ステップＳ３１において、動画像ファイルｎが、印刷するファイルとして選択されていると判定された場合（ステップＳ３１；ＹＥＳ）、その動画像ファイルのフレーム数Ｘが取得され（ステップＳ３２）、フレームを指定するためのカウンタ値ｑが１に設定される（ステップＳ３３）。
【００７２】
次いで、動画像ファイルｎのヘッダ部の印刷フレーム指定部分に設定された情報に基づいて、フレームｑの印刷フラグがＯＮに設定されているか否かが判定される（ステップＳ３４）。ステップＳ３４において、フレームｑの印刷フラグがＯＦＦであると判定された場合（ステップＳ３４；ＮＯ）、ステップＳ３６に移行し、カウンタ値ｑがインクリメントされる（ステップＳ３６）。
【００７３】
ステップＳ３４において、フレームｑの印刷フラグがＯＮに設定されていると判定された場合（ステップＳ３４；ＹＥＳ）、そのフレームｑが静止画としてデコード処理され（ステップＳ３５）、そのデコード処理により切出された静止画像のデータが、ＲＡＭ２３の切出し済静止画ファイル格納部２３１に格納される。
【００７４】
ステップＳ３５におけるデコード処理が終了すると、カウンタ値ｑがインクリメントされ（ステップＳ３６）、インクリメント後のカウンタ値ｑが、動画像ファイルｎのフレーム数Ｘより大きいか否かが判定される（ステップＳ３７）。
【００７５】
ステップＳ３７において、現在のカウンタ値ｑが動画像ファイルｎのフレーム数Ｘ以下であると判定された場合（ステップＳ３７；ＮＯ）、ステップＳ３４に戻り、現在のカウンタ値ｑの印刷フラグがＯＮであるか否かが判定される（ステップＳ３４）。
【００７６】
ステップＳ３７において、現在のカウンタ値ｑが動画像ファイルｎのフレーム数Ｘより大きいと判定された場合（ステップＳ３７；ＹＥＳ）、カウンタ値ｎがインクリメントされ（ステップＳ３８）、インクリメント後のカウンタ値ｎが、プリントベンダー２に読み込まれた動画像ファイルの数より大きいか否かが判定される（ステップＳ３９）。
【００７７】
ステップＳ３９において、現在のカウンタ値ｎが、動画像ファイルの数以下であると判定された場合（ステップＳ３９；ＮＯ）、ステップＳ３１に戻り、動画像ファイルｎが、印刷するファイルとして選択されているか否かが判定される（ステップＳ３１）。ステップＳ３９において、現在のカウンタ値が、動画像ファイルの数より大きいと判定された場合（ステップＳ３９；ＹＥＳ）、本静止画切出し処理が終了し、図８のステップＳ１５に移行する。
【００７８】
以上のように、本実施形態１によれば、撮影装置１で動画像を撮影中に、印刷指定ボタン７１ａ、７１ｂの操作によって、印刷したいフレームを予め指定することにより、プリントベンダー２では、指定されたフレームのみを静止画としてデコードすればよいため、デコード処理に要する時間が短縮される。また、撮影装置１側で、予め印刷するフレームを指定しているため、プリントベンダー１の前でフレームを指定する必要がなくなり、客の待ち時間が短縮される。更に、動画像を撮影しながら、印刷したいフレームを指定可能にしたことにより、撮影装置１のユーザは、写真にしたい一瞬を逃すことがなくなる。
【００７９】
次に、上述の実施形態１の変形例について、変形例１〜４を挙げて説明する。
【００８０】
＜変形例１＞
上述の実施の形態１においては、撮影装置１のユーザが、印刷画像の大きさを指定できるようにしたが、変形例１では、プリントベンダー２において、動画像ファイルのフレームの種類によって、印刷画像の大きさを自動的に決定する場合について説明する。例えば、ＭＰＥＧ方式で圧縮されている動画像ファイルのフレームには、入力信号がそのまま符号化されたＩ（Intra-Coded）フレーム、Ｉフレームと前後のフレームとの差分情報から復元されるＰ（Predictive-Coded）フレーム及びＢ（Bidirectionally Predictive-Coded）フレームが存在する。Ｐフレームは、順方向予測で、Ｂフレームは、ＩフレームとＰフレームの双方向から復元される。一般に、Ｂフレーム、Ｐフレームは、差分情報から復元されるため、Ｉフレームに比べてノイズが多く、復元画像が荒くなる。そこで、Ｉフレームの画像のサイズを大きくし、Ｐフレーム、Ｂフレームの印刷画像の大きさを小さくして配置する。プリントフォーマットの決定方法は、上述の実施形態１で示した方法を適用することが可能である。図１９（ａ）及び図１９（ｂ）に、フレームの種類によって印刷画像の大きさを変更して配置した画像の例を示す。
【００８１】
変形例１によれば、動画像のフレームの種類に応じて、画像の大きさを変えることにより、例えば、鮮明な画像はサイズを大きくし、ノイズが多い画像はサイズを小さくすることが可能になり、ノイズの目立たない、鮮明な画像を提供することができる。
【００８２】
＜変形例２＞
変形例２では、撮影装置１の印刷指定ボタン７１ａ、７１ｂの操作により指定された画像の大きさに応じて、フレームの種類を決定する場合について説明する。この場合、撮影装置１は、印刷指定ボタン７１ａの押下操作により「大きな画像」として印刷指定されたフレームをＩフレームとしてエンコード（符号化）し、印刷指定ボタン７１ｂの押下操作により「小さな画像」として印刷指定されたフレームを、全フレームとの差分をとることでＰフレームとしてエンコード（符号化）する。プリントベンダー２では、「大きな画像」として印刷指定されたフレームを鮮明にデコードし、「小さな画像」として印刷指定されたフレームに対しては、データ量を抑えてデコードすることができる。
【００８３】
変形例２によれば、撮影装置１側で、指定された画像の大きさに応じて最適なフレームの種類を決定するようにしたことにより、プリントベンダー２では、撮影装置１で決定されたフレームの種類に応じたデコード処理を行うことになり、大きな画像として指定された画像は鮮明に、小さな画像として印刷指定された画像は、ノイズを目立たないように印刷することが可能になる。
【００８４】
＜変形例３＞
変形例３では、指定された印刷画像の大きさに応じて、プリントベンダー２側で最適なフレームを選択する場合について説明する。「大きな画像」として印刷指定されたフレームがＩフレームであることが好ましいが、そうとは限らない。そこで、プリントベンダー２の静止画切出し部２９は、動画像ファイルのヘッダ部から画像の大きさ情報を取得し、図２０に示すように、「大きな画像」として印刷指定されたフレームがＩフレームではなかった場合（Ｐフレーム又はＢフレームであった場合）、その指定されたフレームに最も近いＩフレームを切出す。
【００８５】
変形例３によれば、「大きな画像」として印刷指定されたフレームが、Ｐフレーム又はＢフレームであった場合、最寄りのＩフレームを「大きな画像」のフレームとして自動選択することにより、「大きな画像」として選択されたフレームを鮮明に印刷することが可能になる。
【００８６】
＜変形例４＞
実施形態１では、撮影装置１のユーザが印刷指定ボタン７１ａ又は７１ｂを押下した瞬間のフレームを、印刷するフレームとしたが、ユーザが、この場面は印刷したいと思った瞬間と、実際にユーザが印刷指定ボタン７１ａ又は７１ｂを押下するタイミングにずれが生じる可能性がある。そこで、変形例４では、プリントベンダー２において、印刷フラグがＯＮのフレームの前後のフレームも、印刷するフレームとして選択して表示部２２に表示する。また、プリントベンダー２の表示画面上で、削除するフレームを選択可能とすることで、不要なフレームを除去できるようにする。
【００８７】
変形例４によれば、ユーザが印刷指定ボタン７１ａ又は７１ｂを押下した瞬間のフレームと、その前後のフレームも印刷するフレームとすることにより、ユーザが、この場面は印刷したいと思った瞬間と、実際にユーザが印刷指定ボタン７１ａ又は７１ｂを押下した瞬間のずれを確認することができ、ユーザの感覚と、撮影装置１の印刷指定ボタン７１ａ又は７１ｂを押下した瞬間のずれを緩和することができる。
【００８８】
（実施形態２）
次に、図２１〜図２３を参照して、本発明の実施形態２について詳細に説明する。まず、実施形態２における構成について説明する。
【００８９】
図２１に、本発明の実施形態２に係る画像印刷システム１００の全体構成を示す。図２１に示すように、画像印刷システム１００は、プリントベンダー２、通信端末７０、デコードサーバ４０、メールサーバ５０、画像ＤＢ６０ａを有するストレージサーバ６０により構成され、各装置は、通信ネットワークＮを介して相互に接続されている。なお、図２１においては、各装置が各々１台ずつ接続された例を示しているが、これらの装置の台数は特に限定されない。
【００９０】
通信端末７０は、ＰＣ（Personal Computer）、携帯電話等の端末であり、少なくとも、装置全体を制御するＣＰＵ、各種データ及びプログラムを記録する記録部、情報を一時的に格納するＲＡＭ、各種操作信号を入力するための操作部、各種情報を表示するための表示部、通信ネットワークＮに接続された各装置とデータの送受信を行うための通信部を備えて構成されている。通信端末７０の記録部は、記録媒体を有しており、この記録媒体には、ＭＰＥＧ４等の圧縮形式により圧縮された動画像ファイルが記録されている。通信端末７０は、記録部に記録されているプログラムに従い、操作部からの入力操作に基づいて、記録媒体に記録されている動画像ファイルを、通信ネットワークＮを介してデコードサーバ４０にアップロードする。
【００９１】
デコードサーバ４０は、装置全体を制御するＣＰＵ、各種データ及びプログラムを記録する記録部、情報を一時的に格納するＲＡＭ、通信ネットワークＮに接続された各装置とデータの送受信を行うための通信部等を備えて構成されている。デコードサーバ４０は、記録部に記録されているプログラムに従って、通信端末７０からアップロードされた動画像ファイルを構成するフレームのうち、印刷フラグがＯＮのフレームのみを静止画像としてデコードすることによって、静止画像の切出しを行い、ＩＤコード（以下、ＩＤと称する）、パスワードを発行する。そして、デコードサーバ４０は、切出された静止画像、ＩＤ及びパスワードを対応付けてストレージサーバ６０に送信するとともに、ＩＤ及びパスワードをメールサーバ５０に送信する。
【００９２】
メールサーバ５０は、装置全体を制御するＣＰＵ、各種データ及びプログラムを記録する記録部、情報を一時的に格納するＲＡＭ、通信ネットワークＮに接続された各装置とデータの送受信を行うための通信部等を備えて構成されている。メールサーバ５０は、記録部に記録されているプログラムに従って、デコードサーバ４０から送信されたＩＤ及びパスワードを通信端末７０に電子メールで送信する。
【００９３】
ストレージサーバ６０は、装置全体を制御するＣＰＵ、各種データ及びプログラムを記録する記録部、情報を一時的に格納するＲＡＭ、通信ネットワークＮに接続された各装置とデータの送受信を行うための通信部等を備えて構成され、画像ＤＢ６０ａが接続されている。ストレージサーバ６０は、デコードサーバ４０から受信された静止画像ファイル、ＩＤ及びパスワードを対応付けて画像ＤＢ６０ａに格納しており、プリントベンダー２からＩＤ及びパスワードが送信されると、受信されたＩＤ及びパスワードに対応する静止画像ファイルを画像ＤＢ６０ａから読み出してプリントベンダー２に送信する。
【００９４】
通信ネットワークＮは、専用線や既存の一般公衆回線を利用して構築された通信ネットワークであり、ＬＡＮやＷＡＮ等の様々な回線形態を適用することが可能である。通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。各装置、端末間は有線接続であっても無線接続であってもよい。
【００９５】
次に、実施形態２における動作について説明する。
まず、図２２を参照して、プリントベンダー２による印刷に先立って、画像印刷システム１００において実行される事前処理の流れを示す。
【００９６】
まず、通信端末７０によりデコードサーバ４０に動画像ファイルがアップロードされる（ステップＳ３０１）。一度にアップロードされる動画像ファイルは単数でも複数でもよい。
【００９７】
デコードサーバ４０では、アップロードされた動画像ファイルを構成するフレームのうち、印刷フラグがＯＮのフレームのみが静止画像としてデコードされることにより、静止画像が切出される（ステップＳ３０２）。次いで、この切出された静止画像ファイルに対してＩＤ、パスワードが発行される（ステップＳ３０３）。切出された静止画像ファイル、発行されたＩＤ及びパスワードは、ストレージサーバ６０に送信される（ステップＳ３０４）。また、デコードサーバ４０で発行されたＩＤ及びパスワードは、メールサーバ５０に送信される（ステップＳ３０５）。
【００９８】
ストレージサーバ６０では、デコードサーバ４０から受信された静止画像ファイル、発行されたＩＤ及びパスワードが対応付けて画像ＤＢ５ａに格納される（ステップＳ３０６）。
【００９９】
メールサーバ５０では、デコードサーバ４０から送信されたＩＤ及びパスワードが通信端末７０に電子メールで送信される（ステップＳ３０７）。通信端末７０では、メールサーバ５０から送信されたＩＤ、パスワードのメールが受信され（ステップＳ３０８）、表示画面上にＩＤ、パスワードが表示される（ステップＳ３０９）。
【０１００】
次に、図２３を参照して、図２２に示した事前処理実施後に実行される印刷処理の流れについて説明する。
【０１０１】
まず、プリントベンダー２の入力部２１により、ＩＤ及びパスワードが入力されると（ステップＳ４０１）、入力されたＩＤ及びパスワードがストレージサーバ６０に送信され、このＩＤ及びパスワードに対応する静止画像ファイルの送信要求がなされる（ステップＳ４０２）。
【０１０２】
ストレージサーバ６０では、プリントベンダー２から送信されたＩＤ及びパスワードが受信されると、ＩＤ及びパスワードの認証が行われ（ステップＳ４０３）、画像ＤＢ６０ａから当該ＩＤ及びパスワードに対応する静止画像ファイルが読み出され（ステップＳ４０４）、プリントベンダー２に送信される（ステップＳ４０５）。
【０１０３】
プリントベンダー２では、ストレージサーバ６０から静止画像ファイルがダウンロード（受信）されると（ステップＳ４０６）、ダウンロードされた静止画像ファイルの印刷が行われる（ステップＳ４０７）。ダウンロード後の手順は、図８のステップＳ１５〜Ｓ２５と同様である。
【０１０４】
以上のように、実施形態２の画像印刷システム１００によれば、デコードサーバ４０において事前に動画像ファイルのデコード処理を行い、静止画像の切出しを行うようにしたことにより、プリントベンダー２においてデコード処理を行う必要がなくなり、プリントベンダー２における印刷時のユーザの待ち時間を短縮することができる。
【０１０５】
なお、上記各実施形態における記述内容は、本発明の趣旨を逸脱しない範囲で適宜変更可能である。
【図面の簡単な説明】
【０１０６】
【図１】本発明の実施形態１のシステム構成を示す図。
【図２】図１の撮影装置１の主要部構成を示すブロック図。
【図３】撮影装置１の側面に設けられた印刷指定ボタン７１ａ、７１ｂを示す図。
【図４】動画像ファイルのヘッダ部の印刷フレーム指定部分を示す図と（同図（ａ））、印刷フラグの内容を示す図と（同図（ｂ））、画像の大きさの内容を示す図（同図（ｃ））。
【図５】図１のプリントベンダー２の主要部構成を示すブロック図。
【図６】プリントベンダー２のＲＡＭ２３のメモリ構成を示す図。
【図７】プリントベンダー２により実行される動画印刷処理を示すフローチャート。
【図８】プリントベンダー２により実行される動画印刷処理を示すフローチャート。
【図９】プリントベンダーの表示部２２に表示される動画再生・確認画面１２１の一例を示す図。
【図１０】プリントベンダーの表示部２２に表示されるプリントスタイル選択画面１２２の一例を示す図。
【図１１】静止画切出し処理で切出された静止画像が全て「小さな画像」として印刷指定されている場合の画像配置例を示す図と（同図（ａ））、静止画切出し処理で切出された静止画像が全て「大きな画像」として印刷指定されている場合の画像配置例を示す図（同図（ｂ））。
【図１２】静止画切出し処理で切出された静止画像に、「小さな画像」として印刷指定された画像と、「大きな画像」として印刷指定された画像が混在する状況を示す図。
【図１３】「小さな画像」と「大きな画像」が混在する場合の画像配置例を示す図。
【図１４】「小さな画像」と「大きな画像」が混在する場合の画像配置例を示す図。
【図１５】プリントベンダーの表示部２２に表示される枚数指定画面１２３の一例を示す図。
【図１６】プリントベンダーの表示部２２に表示される印刷確認画面１２４の一例を示す図。
【図１７】プリントベンダーの表示部２２に表示される印刷終了画面１２６を示す図。
【図１８】図７で示した静止画切出し処理の詳細を示すフローチャート。
【図１９】実施形態１の変形例１における画像配置例を示す図。
【図２０】実施形態１の変形例３を説明するための図。
【図２１】本発明の実施形態２における画像印刷システム１００の全体構成を示す図。
【図２２】図２１の画像印刷システム１００において、プリントベンダー２による画像印刷処理に先立って実行される事前処理の流れを示す図。
【図２３】プリントベンダー２による画像印刷時に画像印刷システム１００において実行される処理の流れを示す図。
【符号の説明】
【０１０７】
１  撮影装置
２  プリントベンダー（画像印刷装置）
３ａ  撮影レンズ
３ｂ  ＣＣＤ
４  Ａ／Ｄ変換器
５  画像信号処理回路
６  表示部
７  操作部
７１ａ、７１ｂ  印刷指定ボタン（印刷指定手段）
８  ＲＡＭ
９  ＥＥＰＲＯＭ
１０  カード装着部
１１  メモリーカード
１２  制御部（設定手段）
２０  ＣＰＵ
２１  入力部
２２  表示部
２３  ＲＡＭ
２３１  切出し済静止画ファイル格納部
２３２  選択解除結果格納部
２３３  プリントスタイル格納部
２３４  出力様式格納部
２４  伝送制御部
２５  金銭授受部
２６  印刷部（印刷手段）
２７  記録部
２８  記録媒体接続部
２９  静止画切出し部（印刷情報取得手段、切出し手段、大きさ情報取得手段）
３０  フォーマット作成部（フォーマット作成手段）
４０  通信端末
５０  メールサーバ
６０  ストレージサーバ
６０ａ  画像ＤＢ
７０  通信端末
１００  画像印刷システム
Ｎ  通信ネットワーク
【図１】
2005051591.tif 000003
【図２】
2005051591.tif 000004
【図３】
2005051591.tif 000005
【図４】
2005051591.tif 000006
【図５】
2005051591.tif 000007
【図６】
2005051591.tif 000008
【図７】
2005051591.tif 000009
【図８】
2005051591.tif 000010
【図９】
2005051591.tif 000011
【図１０】
2005051591.tif 000012
【図１１】
2005051591.tif 000013
【図１２】
2005051591.tif 000014
【図１３】
2005051591.tif 000015
【図１４】
2005051591.tif 000016
【図１５】
2005051591.tif 000017
【図１６】
2005051591.tif 000018
【図１７】
2005051591.tif 000019
【図１８】
2005051591.tif 000020
【図１９】
2005051591.tif 000021
【図２０】
2005051591.tif 000022
【図２１】
2005051591.tif 000023
【図２２】
2005051591.tif 000024
【図２３】
2005051591.tif 000025